(57)【要約】      （修正有）【課題】安全柵を安全かつ容易に運搬できる安全柵運搬治具を提供する。【解決手段】安全柵運搬治具１は、束ねられた複数組の安全柵の各開口部に略水平な状態で差し込まれ、複数組の安全柵を支持する安全柵支持板２と、安全柵支持板２の一端に安全柵支持板２と略直交して取付けられ、運搬者の腰部に当てられる腰当て板３と、安全柵支持板２の他端に取付けられる保持部４と、を備え、運搬者は、保持部４を腰当て板３の方向に押さえ込むことで束ねられた複数組の安全柵を保持して運搬する。【選択図】図１
2009149403.tif 000002
【特許請求の範囲】
【請求項１】
折り畳んだ安全柵を複数組束ねて運搬する際に用いる安全柵運搬治具であって、
束ねられた複数組の安全柵の各開口部に略水平な状態で差し込まれ、複数組の安全柵を支持する安全柵支持板と、
安全柵支持板の一端に安全柵支持板と略直交して取付けられ、運搬者の腰部に当てられる腰当て板と、
安全柵支持板の他端に取付けられる保持部と、を備え、
運搬者は、掴んだ保持部を腰当て板の方向に押さえ込むことで束ねられた複数組の安全柵を保持して運搬することを特徴とする安全柵運搬治具。
【請求項２】
請求項１に記載の安全柵運搬治具であって、
安全柵支持板に隣接して配置され、複数組の安全柵を支持する範囲を調節する着脱自在な延長板と、
保持部の安全柵支持板側に設けられる挿入片と、
安全柵支持板において安全柵を支持する面の裏側に取付けられ、挿入される挿入片を囲んで保持する鞘部と、をさらに備え、
運搬者は、安全柵の組数により延長板により安全柵を支持する範囲を調節し、挿入片を鞘部に差し込むことで束ねられた複数組の安全柵を保持して運搬することを特徴とする安全柵運搬治具。
【請求項３】
請求項１又は２に記載の安全柵運搬治具であって、保持部は、安全柵支持板と略直交して取付けられる安全柵止め板と、安全柵止め板に対して安全柵支持板が取り付く面と反対側の面に取り付けられ、運搬者が手で掴む握り柄とから成ることを特徴とする安全柵運搬治具。
【請求項４】
請求項２又は３に記載の安全柵運搬治具であって、延長板には楔状凸部が設けられ、楔状凸部は、延長板を配置する際に安全柵支持板に設けられた楔状凹部に嵌合されることを特徴とする安全柵運搬治具。
【請求項５】
請求項１乃至４のいずれか１に記載の安全柵運搬治具であって、腰当て板の安全柵支持板が取り付く面と反対の面には、運搬者が装着するベルトに安全柵運搬治具を取り付ける取付治具が設けられることを特徴とする安全柵運搬治具。
【発明の詳細な説明】
【技術分野】
【０００１】
本発明は、安全柵運搬治具に係り、特に、折り畳んだ安全柵を複数組束ねて運搬する際に用いる安全柵運搬治具に関する。
【背景技術】
【０００２】
安全柵とは、乗客の移動手段として使用されるエスカレータやエレベータなどについて保守点検などが行われる際に、出入口付近において乗客に対して安全上進入してはならない範囲を明示するために用いられる柵をいう。
【０００３】
図７に、使用時における安全柵の態様の一例を斜視図で示す。安全柵１０は、相互に連結された４個或いは６個のフェンス９を屏風状に立て掛けるのが一般的である。そして、安全柵１０は、使用していないときには各フェンス９を折り畳んで保管する。折り畳まれた状態の一組の安全柵１０は、その高さが約７５０ｍｍであり、その幅が約６８０ｍｍである。また４個のフェンス９が折り畳まれた状態での安全柵１０の厚みは約１００ｍｍであり、その重量は約３．５ｋｇ程度である。
【０００４】
この安全柵１０を運搬する際には、運搬者が、４個或いは６個のフェンス９を折り畳み、その手をフェンス９の開口部１１に廻して抱え込むようにして運搬するのが一般的である。しかし、安全柵１０は、保守点検時などには複数組使用されるため、一度に複数組の安全柵１０を束ねて運搬しなければならない場合が多い。
【０００５】
特許文献１には、複数組の安全柵を固定して運搬する安全柵携帯工具が開示されている。ここでは、複数組の安全柵の上部梁部が第１の受具と第２の受具との間に保持され、かつ、その少なくとも１組の安全柵の上部梁部が第２の受具に嵌合保持されることが記載されている。そして、作業者は、安全柵携帯工具に手を廻して握り柄を掴み、手を曲げて安全柵携帯工具を抱え込むように保持して運搬する。
【０００６】
特許文献２には、安全柵を複数枚運搬する安全柵運搬装置が開示されている。ここでは、４個のフェンスを折りたたんだ状態の安全柵の縦長辺の両端部分にワイヤーを着脱自在に取り付け、ワイヤーの中央部に弾性材料製のグリップを着脱自在に取付けることが記載されている。
【０００７】
【特許文献１】特開平６−２５５７３０号公報
【特許文献２】特開２０００−３８２８０号公報
【発明の開示】
【発明が解決しようとする課題】
【０００８】
エスカレータやエレベータの保守点検時などに複数組の安全柵１０を使用する際には、一度に複数組の安全柵１０を束ねて運搬しなければならない。この場合には、例えば、最大で６個のフェンスから成る安全柵を２組束ね、それを一括して安全に持ち運ぶ必要がある。この安全柵の束を手で抱えて運搬することは難しく安全柵を安全かつ容易に運搬できる安全柵運搬治具が望まれる。
【０００９】
また、安全柵の運搬に際しては、４個又は６個のフェンスから成る安全柵を２組束ねる場合もあり、４個のフェンスの安全柵と６個のフェンスの安全柵を組み合わせて束ねる場合もある。束ねるフェンスの組み合わせの種類に対応して安全柵を安全にかつ容易に運搬する必要がある。
【００１０】
本願の目的は、かかる課題を解決し、安全柵を安全かつ容易に運搬できる安全柵運搬治具を提供することである。
【課題を解決するための手段】
【００１１】
上記目的を達成するため、本発明に係る安全柵運搬治具は、折り畳んだ安全柵を複数組束ねて運搬する際に用いる安全柵運搬治具であって、束ねられた複数組の安全柵の各開口部に略水平な状態で差し込まれ、複数組の安全柵を支持する安全柵支持板と、安全柵支持板の一端に安全柵支持板と略直交して取付けられ、運搬者の腰部に当てられる腰当て板と、安全柵支持板の他端に取付けられる保持部と、を備え、運搬者は、掴んだ保持部を腰当て板の方向に押さえ込むことで束ねられた複数組の安全柵を保持して運搬することを特徴とする。
【００１２】
また、安全柵運搬治具は、安全柵支持板に隣接して配置され、複数組の安全柵を支持する範囲を調節する着脱自在な延長板と、保持部の安全柵支持板側に設けられる挿入片と、安全柵支持板において安全柵を支持する面の裏側に取付けられ、挿入される挿入片を囲んで保持する鞘部と、をさらに備え、運搬者が、安全柵の組数により延長板により安全柵を支持する範囲を調節し、挿入片を鞘部に差し込むことで束ねられた複数組の安全柵を保持して運搬することが好ましい。
【００１３】
また、安全柵運搬治具は、保持部が、安全柵支持板と略直交して取付けられる安全柵止め板と、安全柵止め板に対して安全柵支持板が取り付く面と反対側の面に取り付けられ、運搬者が手で掴む握り柄とから成ることが好ましい。
【００１４】
また、安全柵運搬治具は、延長板には楔状凸部が設けられ、楔状凸部が、延長板を配置する際に安全柵支持板に設けられた楔状凹部に嵌合されることが好ましい。
【００１５】
さらに、安全柵運搬治具は、腰当て板の安全柵支持板が取り付く面と反対の面には、運搬者が装着するベルトに安全柵運搬治具を取り付ける取付治具が設けられることが好ましい。
【発明の効果】
【００１６】
上記構成により、安全柵運搬治具は、安全柵支持板と腰当て板と保持部とが一体的に組み合わされ、運搬者は、掴んだ保持部を腰当て板の方向に押さえ込むことで容易にかつ安全に束ねられた複数組の安全柵を保持して運搬することができる。また、運搬者は、延長板を用いて安全柵を支持する範囲を調節し、挿入片を鞘部に差し込み、保持板を腰当て板の方向に押さえ込むことで束ねられた複数組の安全柵を容易にかつ安全に保持して運搬することができる。
【００１７】
以上のように、本発明に係る安全柵運搬治具によれば、安全柵を安全かつ容易に運搬することが可能となる。
【発明を実施するための最良の形態】
【００１８】
以下に、図面を用いて本発明に係る安全柵運搬治具の実施の形態につき、詳細に説明する。
【００１９】
図１に、安全柵運搬治具の１つの実施形態の概略構成を斜視図で示す。また、図２に、複数の安全柵を取り付けた状態の安全柵運搬治具を斜視図で示す。安全柵運搬治具１は、安全柵支持板２、腰当て板３、及び安全柵止め板５と握り柄６とから成る保持部４から構成される。さらに、安全柵運搬治具１の腰当て板３の裏面には、図１に破線で示す取付治具１３が設けられる。この安全柵運搬治具１は、折り畳まれた状態の複数組の安全柵１０の開口部１１に差し込まれる。図１では、一例として、４個のフェンス９が一組となった安全柵１０が２組束ねられている状態を示す。
【００２０】
安全柵支持板２は、束ねられた複数組の安全柵１０の各開口部１１に略水平な状態で差し込まれる板材である。そして、この安全柵支持板２は、その平板面により束ねられた安全柵１０を下方から支持する役割を果たす。従って、安全柵支持板２の幅（Ｌ）は、束ねられた安全柵１０の厚みが収納可能なサイズとなる。例えば、４個のフェンス９が一組となった安全柵１０を２組束ねて運搬するには、安全柵支持板２の幅（Ｌ）は、約２００ｍｍを越える寸法でなければならない。また、６個のフェンス９が一組となった安全柵１０を２組束ねて運搬するには、安全柵支持板２の幅（Ｌ）は、約３００ｍｍを越える寸法でなければならない。
【００２１】
腰当て板３は、安全柵支持板２の一端に安全柵支持板２と略直交して取付けられる板材である。この腰当て板３の上部には、安全柵１０に支持されるフェンス９を保護するための腰当て板返し部８が設けられても良い。本実施形態ではこの腰当て板３は平板状であるが、運搬者の腰部に当てられることから、腰にフィットする曲面状であっても良い。また、腰に対して苦痛を感じさせないようにクッションなどを取り付けても良い。
【００２２】
保持部４は、安全柵支持板２と略直交して取付けられる板状の安全柵止め板５と、安全柵止め板５に対して安全柵支持板２が取り付く面と反対側の面に取り付けられ、運搬が手で掴む握り柄６とから成る。握り柄６は、棒或いは筒の断面形状を有する部材であるが、人の手に握られることから握り易い形状であれば、楕円など他の断面形状であっても良い。安全柵止め板５は、安全柵１０のフェンス９を保護するための板であり、腰当て板３と対となる部材である。本実施形態では、この安全柵止め板５と握り柄６とは、２箇所の握り柄取付け板７により接続されるが、この握り柄取付け板７の個数や形状は、安全柵止め板５及び握り柄６が安全に接続できる構成であればこれに限らない。
【００２３】
図３に、図２の安全柵運搬治具１のＡ−Ａ断面を示す。安全柵１０の各フェンス９は、安全柵支持板２上に並置され、腰当て板３及び安全柵止め板５により脱落しないように保護される。また、安全柵支持板２と握り柄取付け板７には、後述するように、圧縮応力が伝達されることから、部材に曲げモーメントが発生して板材に座屈が発生しないように、各軸芯がほぼ一致していることが好ましい。
【００２４】
また、腰当て板３には、安全柵運搬治具１を運搬者がそのズボンに装着するベルトに取付けるための取付治具１３が設けられても良い。本実施形態では、取付治具１３は、図３に示すように、フック状でありベルトとズボンの間にフックを上から引っ掛けて安全柵運搬治具１を運搬者に固定する。この取付治具１３は、このフック状のものに限らす、ベルト止めのように輪状としてベルトをその輪の中に通すものであっても良い。
【００２５】
図４に、安全柵運搬治具１を使用した場合の状態及びその機能を示す。図４（ａ）は、運搬者１２が安全柵運搬治具１を保持した状態を示す。運搬者１２は、保持部４の握り柄６を腰当て板３の方向に押さえ込むことで束ねられた複数組の安全柵１０を保持して運搬する。この場合、運搬者１２はその腰骨に安全柵運搬治具１をそのまま乗せて支持しても良い。また、安全柵運搬治具１に取付けられた取付治具１３をベルト１４に差し込むことで安全柵運搬治具１を支持しても良い。
【００２６】
図４（ｂ）を用いて本安全柵運搬治具１における応力の伝達機能について説明する。図４（ａ）の運搬者１２、運搬者の腕１５及び安全柵運搬治具１は、図４（ｂ）では、説明のためそれぞれ単線で表され、閉じた三角形を構成する。運搬者１２が、安全柵運搬治具１を保持した場合には、保持される安全柵１０の全体重量（Ｗ）は、運搬者１２の腰と、保持部４の握り柄６との２つの支点にそれぞれ荷重（Ｗ／２）ずつ分配される。運搬者１２の腰に伝達される荷重（Ｗ／２）は、そのまま運搬者１２の足を介して地面に伝達される。一方、保持部４の握り柄６に伝達される荷重（Ｗ／２）は、図４（ｂ）に示すように、安全柵運搬治具１の握り柄取付け板７及び安全柵支持板２に伝達される圧縮力（ｃ）と運搬者の腕１５に伝達される引張力（Ｔ）に分解される。すなわち、この圧縮力（ｃ）は、運搬者１２が安全柵運搬治具１を腰の方向に押さえ込む力となる。また、引張力（Ｔ）は、運搬者１２が安全柵運搬治具１を斜め上方向に引き上げる力となる。
【００２７】
このように、本発明に係る安全柵運搬治具１によると、運搬者１２は、保持される安全柵１０の全体重量（Ｗ）の半分の荷重（Ｗ／２）は直接腰により支持し、残りの半分の荷重（Ｗ／２）は安全柵運搬治具１を腰の方向に押し込み、運搬者の腕１５の方向に引っ張ればよいことになる。つまり、運搬者の腕１５、運搬者１２及び安全柵運搬治具１により構成される閉じられた三角形により安全柵１０の全体重量（Ｗ）が支持され、運搬者の腕１５、運搬者１２及び安全柵運搬治具１のいずれにも曲げモーメントが発生しない機構となる。従って、より自然な体勢で無理なく安全柵１０の束を保持して運搬することができる。
【００２８】
この点に関し、引用文献１に記載された発明では、作業者は、安全柵携帯工具に手を廻して握り柄６を掴み、手を曲げて安全柵携帯工具を抱え込むように保持して運搬することから、上述したような荷重を支持する閉じられた三角形は構成されない。従って、作業者の腕や身体には曲げモーメントが発生し、作業者は無理な体勢で安全柵１０の束を保持することになる。
【００２９】
図５に、安全柵運搬治具の他の実施形態の概略構成を斜視図で示す。また、図６（ａ）に安全柵運搬治具の側面を示し、図６（ｂ）に図６（ａ）の安全柵運搬治具のＢ−Ｂ断面を示す。本安全柵運搬治具２０は、図５（ａ）に示すように、安全柵支持板２１、鞘部２３、腰当て板３、安全柵止め板５と握り柄６とから成る保持部４、挿入片２４、及び図５（ｂ）に示す延長板２２から構成される。すなわち、本安全柵運搬治具２０は、前記安全柵運搬治具１に対して新たに延長板２２を用いることにより、安全柵１０を支持する範囲（Ｑ）を自在に調節することが可能な実施形態となる。なお、本実施形態の構成要素のうち先の実施形態と同様なものについてはその説明を省略する。
【００３０】
延長板２２は、幅（Ｍ）を有する安全柵支持板２１に隣接して設けられ、幅（Ｎ）を有する板材である。安全柵支持板２１の幅（Ｍ）は、例えば、４個のフェンス９が一組となった安全柵１０を２組束ねて運搬する場合を想定した最小幅である。そして、延長板２２の幅（Ｎ）は、例えば、６個のフェンス９が一組となった安全柵１０を２組束ねて運搬する場合を想定した最大幅（Ｑ）から安全柵支持板２１の幅（Ｍ）を差し引いた値となる。すなわち、延長板２２を用いることにより、４個及び６個のフェンス９の組み合わせの最小幅から最大幅までをカバーすることができる。また、複数の延長板２２を予め用意し、それぞれ異なる幅とすることで、安全柵運搬治具２０を総ての組み合わせに対して適合させることができる。
【００３１】
安全柵支持板２１側に設置される延長板２２のほぼ中央部には楔状凸部２６が設けられる。また、延長板２２側の安全柵支持板２１のほぼ中央部には楔状凹部２５が設けられる。そして、楔状凹部２５と楔状凸部２６とは嵌合される。これは、この延長板２２を安全柵支持板２１に隣接して設置する際に、延長板２２が横ずれしないようにするためである。
【００３２】
安全柵１０を支持する範囲（Ｑ）を着脱自在に調節する手段として、本実施形態では、挿入片２４及びその挿入片２４が挿入可能な鞘部２３を用いる。挿入片２４は保持部４の安全柵支持板２１側の少なくとも２箇所に取付けられる板材である。また、鞘部２３は、安全柵支持板２１において安全柵１０を支持する面の裏側に取付けられ、挿入される挿入片２４を囲んで保持する箱状の部材である。この挿入片２４の長さは、挿入片２４が鞘部２３の内部に完全に挿入された際に安全柵運搬治具２０が所定の幅（Ｍ）となるように規定される。
【００３３】
運搬者１２は、安全柵１０の組合せにより延長板２２により安全柵１０を支持する範囲を調節し、挿入片２４を鞘部２３に差し込む。そして、保持板４を腰当て板３の方向に押さえ込んで束ねられた複数組の安全柵１０を保持して運搬する。
【００３４】
このように、運搬者１２は安全柵運搬治具２０を使用する際に、握り柄６を持って保持板４を腰当て板３の方向に押さえ込み、安全柵運搬治具２０の握り柄取付け板７及び安全柵支持板２１には圧縮力（ｃ）が発生する。延長板２２は、この圧縮力（ｃ）により安全柵支持板２１と安全柵止め板５に押さえ込まれて安定する。
【図面の簡単な説明】
【００３５】
【図１】本発明に係る安全柵運搬治具の１つの実施形態の概略構成を示す斜視図である。
【図２】複数の安全柵を取り付けた状態の安全柵運搬治具を示す斜視図である。
【図３】図２のＡ−Ａで切断した安全柵運搬治具の１つの実施形態の断面図である。
【図４】安全柵運搬治具を使用した場合の状態及びその機能を示す説明図である。
【図５】安全柵運搬治具の他の実施形態の概略構成を示す拡大された透視図である。
【図６】安全柵運搬治具の他の実施形態の側面図及びＢ−Ｂ断面図である。
【図７】安全柵の使用時の形態を示す斜視図である。
【符号の説明】
【００３６】
１，２０  安全柵運搬治具、２，２１  安全柵支持板、３  腰当て板、４  保持部、５  安全柵止め板、６  握り柄、７  握り柄取付け板、８  腰当て板返し部、９  フェンス、１０  安全柵、１１  開口部、１２  運搬者、１３  取付治具、１４  ベルト、１５  運搬者の腕、２２  延長板、２３  鞘部、２４  挿入片、２５  楔状凹部、２６  楔状凸部。
【図１】
2009149403.tif 000003
【図２】
2009149403.tif 000004
【図３】
2009149403.tif 000005
【図４】
2009149403.tif 000006
【図５】
2009149403.tif 000007
【図６】
2009149403.tif 000008
【図７】
2009149403.tif 000009